(57)【要約】【課題】握力や腕力の弱い人および手や指等に障害を有する人でも、容易に且つ確実にペットボトル等の飲料容器に取り付けられた回転式キャップを取外すことが可能な回転式キャップ抜き具を提供する。【解決手段】円筒状のケース本体１と、その内壁に配置したピニオンギア１１と、当該ピニオンギア１１を回転させるギヤードモータ６と、ピニオンギア１１の上部側に回転自在に設け、ピニオンギア１１と歯合する歯車１５ａを形成したリング状の上部フェースギア部７と、ピニオンギア１１の下部側に回転自在に設け、当該ピニオンギア１１と歯合する歯車１５ｂを形成したリング状の下部フェースギア部８とを備え、且つ上部フェースギア部７の上部に、回転式キャップ３４を把持して上部フェースギア部７と一体的に回転する上部回転体１６を設けるとともに、下部フェースギア部８の下部に、飲料容器を把持して下部フェースギア部８と一体的に回転する下部回転体１７を設ける。【選択図】図１
2011088642.tif 000002
【特許請求の範囲】
【請求項１】
飲料容器の開口部の螺子部に螺着された回転式キャップを取外す回転式キャップ抜き具であって、
円筒状のケース本体と、当該ケース本体の内壁に配置されたピニオンギアと、このピニオンギアを回転させるモータと、上記ピニオンギアの上部側に回転自在に設けられ、上記ピニオンギアと歯合する歯車が軸線周りに沿って形成されたリング状の上部フェースギア部と、上記ピニオンギアの下部側に回転自在に設けられ、当該ピニオンギアと歯合する歯車が軸線周りに沿って形成されたリング状の下部フェースギア部とを備えてなり、
且つ上記上部フェースギア部の上部に、上記回転式キャップを把持して上記上部フェースギア部と一体的に回転可能な上部回転体が設けられるとともに、上記下部フェースギア部の下部に、上記飲料容器を把持して上記下部フェースギア部と一体的に回転可能な下部回転体が設けられていることを特徴とする回転式キャップ抜き具。
【請求項２】
上記上部および下部回転体は、リング状に形成されるとともに、上記上部および下部フェースギア部が回転した際に、それぞれの内周面より径方向内側に突出して上記回転式キャップおよび飲料容器を各々把持する複数個の把持爪が設けられていることを特徴とする請求項１に記載の回転式キャップ抜き具。
【請求項３】
上記ケース本体の内壁には、上部および下部回転体の外周面との対向位置に、上部および下部回転体をそれぞれの軸線側に向けて押圧する押圧部材が備えられており、
且つ上記上部および下部フェースギア部と上記上部および下部回転体との間に、互いを係合させて一体的に回転させる係合部が設けられていることを特徴とする請求項２に記載の回転式キャップ抜き具。
【請求項４】
上記モータは、正逆回転機能を備えたギヤードモータであることを特徴とする請求項１〜請求項３のいずれかに記載の回転式キャップ抜き具。
【請求項５】
上記下部回転体は、上記軸線方向下方に位置する内周縁部が面取りされていることを特徴とする請求項１〜請求項４に記載の回転式キャップ抜き具。
【請求項６】
上記押圧部材としては、スプリング、弾性ゴムまたはこれらの組合せたものが用いられていることを特徴とする請求項３に記載の回転式キャップ抜き具。
【発明の詳細な説明】
【技術分野】
【０００１】
本発明は、ペットボトル等の飲料容器の開口部に取り付けられた回転式キャップを取外すための回転式キャップ抜き具に関するものである。
【背景技術】
【０００２】
一般に、飲料容器の一つであるペットボトルは、飲料を収容するペットボトル本体と、当該ペットボトル本体の開口部を塞ぐ回転式キャップによって構成されている。
【０００３】
そして、このペットボトルは、市販段階において、飲料の漏洩を防止するために、ペットボトル本体への回転式キャップの締付けを強くしている。また、不正な開封を防止するために、ペットボトル本体の開口部側に固着リングを取り付け、当該固着リングに回転式キャップを固着させている等の対策が施されている。
【０００４】
このため、上記ペットボトル本体の開口部に取り付けられた回転式キャップを開栓するためには、０．７Ｎ・ｍ〜１Ｎ・ｍ程度のトルク（開栓トルク）が必要であった。
【０００５】
この結果、幼児や老人のように握力や腕力が弱い人、特に手や指等に障害を有する人は、上記飲料容器に取り付けられた回転式キャップを取外すことが非常に困難となることがあった。
【発明の概要】
【発明が解決しようとする課題】
【０００６】
本発明は、かかる事情に鑑みてなされたもので、握力や腕力の弱い人および手や指等に障害を有する人でも、容易に且つ確実にペットボトル等の飲料容器に取り付けられた回転式キャップを取外すことが可能な回転式キャップ抜き具を提供するものである。
【課題を解決するための手段】
【０００７】
上記課題を解決するために、請求項１に記載の本発明は、飲料容器の開口の螺子部に螺着された回転式キャップを取外す回転式キャップ抜き具であって、円筒状のケース本体と、当該ケース本体の内壁に配置されたピニオンギアと、このピニオンギアを回転させるモータと、上記ピニオンギアの上部側に回転自在に設けられ、上記ピニオンギアと歯合する歯車が軸線周りに沿って形成されたリング状の上部フェースギア部と、上記ピニオンギアの下部側に回転自在に設けられ、当該ピニオンギアと歯合する歯車が軸線周りに沿って形成されたリング状の下部フェースギア部とを備えてなり、且つ上記上部フェースギア部の上部に、上記回転式キャップを把持して上記上部フェースギア部と一体的に回転可能な上部回転体が設けられるとともに、上記下部フェースギア部の下部に、上記飲料容器を把持して上記下部フェースギア部と一体的に回転可能な下部回転体が設けられていることを特徴とするものである。
【０００８】
そして、請求項２に記載の本発明は、請求項１に記載の回転式キャップ抜き具において、上記上部および下部回転体は、リング状に形成されるとともに、上記上部および下部フェースギア部が回転した際に、それぞれの内周面より径方向内側に突出して上記回転式キャップおよび飲料容器を各々把持する複数個の把持爪が設けられていることを特徴とするものである。
【０００９】
また、請求項３に記載の本発明は、請求項２に記載の回転式キャップ抜き具において、上記ケース本体の内壁には、上部および下部回転体の外周面との対向位置に、上部および下部回転体を軸線側に向けて押圧する押圧部材が備えられており、且つ上記上部および下部フェースギア部と上記上部および下部回転体との間に、上記把持爪が上記回転式キャップおよび飲料容器を把持した後に、互いを係合させて一体的に回転させる係合部が設けられていることを特徴とするものである。
【００１０】
さらに、請求項４に記載の本発明は、請求項１ないし請求項３のいずれかに記載の回転式キャップ抜き具において、上記モータは、正逆回転機能を備えたギヤードモータであることを特徴とするものである。
【００１１】
そして、請求項５に記載の本発明は、請求項１ないし請求項４のいずれかに記載の回転式キャップ抜き具において、上記下部回転体は、上記軸線方向下方に位置する内周縁部が面取りされていることを特徴とするものである。
【００１２】
さらに、請求項６に記載の本発明は、請求項３に記載の回転式キャップ抜き具において、上記押圧部材として、スプリング、弾性ゴム、またはこれらを組み合わせたものが用いられていることを特徴とするものである。
【発明の効果】
【００１３】
請求項１に記載の本発明によれば、飲料容器の首部側にケース本体を取り付けて、上記ケース本体内において下部回転体が上記飲料容器の首部を臨む位置に、上部回転体が回転式キャップを臨む位置に配置させる。そして、上記ケース本体に配置されたモータを起動して、上記ケース本体の内壁に配置されたピニオンギアを回転させると、上記ピニオンギアの上部側に設けられた上部フェースギア部が軸線回り方向に回転するとともに、上記ピニオンギアの下部側に設けられた下部フェースギア部が上記上部フェースギア部の回転方向と逆方向に回転する。
【００１４】
このため、上記上部フェースギア部の上部側に設けた上部回転体が上記回転式キャップを把持するとともに、上記下部フェースギア部の下部に設けた下部回転体が上記飲料容器を把持した後に、上記上部および下部回転体と上記上部および下部フェースギア部とをともに回転させると、上記下部回転体に把持された飲料容器と上記上部回転体に把持された回転式キャップとには、互いに反対方向に回転する力が生じるため、上記飲料容器から上記回転式キャップを取外すことが可能となる。この結果、幼児や老人のように握力や腕力が弱い人、特に手や指等に障害を有する人でも、上記回転式キャップを螺着した飲料容器に本発明の回転式キャップ抜き具を取り付け、上記モータを起動するという簡単な作業で、容易に上記飲料容器から上記回転式キャップを取外すことが可能となる。
【００１５】
そして、請求項２に記載の本発明によれば、同様に上記ペットボトル等の飲料容器の首部に上記ケース本体を取り付けて、上記上部および下部フェースギア部を回転させると、上記上部および下部回転体の内周面から径方向内側に向けて複数個の把持爪が突出して、上記回転式キャップおよび飲料容器を各々把持する。そして、さらに上記上部および下部フェースギア部を回転させると、上記把持爪が上記回転式キャップおよび飲料容器を把持した状態で、上記上部および下部回転体が上記上部および下部フェースギア部とともに回転するため、飲料容器から回転式キャップを取外すことが可能となる。
【００１６】
また、請求項３に記載の本発明によれば、上記ケース本体の内壁において、上部および下部回転体の側面との対向位置に、上記上部および下部回転体を軸線に向けて押圧する押圧部材を設けているために、上記押圧部材が上記上部および下部回転体を押圧することによりその間の摩擦力を増大させることが可能である。これにより、上記上部および下部回転体の把持爪が上記回転式キャップおよび飲料容器を各々把持するまで、上記上部および下部回転体が上記上部および下部フェースギア部とともに回転してしまうことを抑制することが可能である。この結果、上部および下部回転体の内周面から径方向内側に向けて上記把持爪が突出するため、確実に上記回転式キャップおよび飲料容器を把持することが可能である。
【００１７】
そして、上記上部および下部フェースギア部と上記上部および下部回転体との間に、互いを係合させて一体的に回転させる係合部を設けているために、上記把持爪が上記回転式キャップおよび飲料容器を把持した後に、さらに上部および下部フェースギア部を回転させると、係合部によりさらに上記上部および下部回転体に上記回転方向に回転させようとする力が作用し、この力が上記摩擦力より大きくなると、上部および下部回転体が上部および下部フェースギア部とともに上記回転方向へと回転する。この結果、上記把持爪が上記回転式キャップおよび飲料容器を把持した後に、上記押圧部材によって回転が抑制された上記上部および下部回転体を上記上部および下部フェースギア部とともに回転させることが可能となる。
【００１８】
さらに、請求項４に記載の本発明によれば、上記モータとして、正逆回転機能を備えたギヤードモータが用いられているために、上記モータの出力軸を正逆回転させることにより、ピニオンギアの回転も正逆回転させることが可能となる。これにより、上部および下部フェースギア部と上部および下部回転体の回転も正逆回転させることが可能であるために、上記モータの出力軸を正回転させた際に上記上部および下部回転体の内周面から上記把持爪が突出する構造の場合には、上記モータの出力軸を逆回転させることにより上記把持爪を上記上部および下部回転体の内周面へと収納させることが可能となる。この結果、開栓後、上記モータの出力軸を逆回転させることによって、回転式キャップおよび飲料容器を把持している上記把持爪を容易に取外すことが可能である。
【００１９】
そして、請求項５に記載の本発明によれば、上記下部回転体は、上記軸線方向下方に位置する内周縁部が面取りされているために、上記飲料容器の首部に上記ケース本体を取り付けた際に、上記飲料容器の肩と面取り面とが面接触する。この結果、上記回転式キャップの開栓時に、上記飲料容器ががたつくことがなくなるため、上記飲料容器から上記回転式キャップを安定した状態で取外すことが可能である。
【００２０】
さらに、請求項６に記載の本発明によれば、上記押圧部材として、圧縮スプリング、弾性ゴム、またはこれらを組合せたものが用いられているために、圧縮スプリングおよび弾性ゴムの弾性力により上記上部および下部回転体を軸線に向けて押圧することが可能となる。これにより、これら押圧部材と上部および下部回転体との間に摩擦力が生じるために、上記把持爪が上記回転式キャップおよび飲料容器を各々把持するまで、上部および下部回転体が上記上部および下部フェースギア部とともに回転してしまうことを確実に抑制することが可能である。
【図面の簡単な説明】
【００２１】
【図１】本発明に係る回転式キャップ抜き具の一実施形態を示す断面図である。
【図２】図１の分解斜視図である。
【図３】図１の上部押え部材を示すもので、（ａ）が平面図、（ｂ）が（ａ）のＩＩＩ−ＩＩＩ線視断面図である。
【図４】図１の下部押え部材を示すもので、（ａ）が平面図、（ｂ）が（ａ）のＩＶ−ＩＶ線視断面図である。
【図５】図１の上部回転体を示すもので、（ａ）が平面図、（ｂ）が（ａ）のＶ−Ｖ線視断面図、（ｃ）が上部把持爪の平面図である。
【図６】図１の下部回転体を示すもので、（ａ）が平面図、（ｂ）が（ａ）のＶＩ−ＶＩ線視断面図、（ｃ）が下部把持爪の平面図ある。
【図７】図１の上部フェースギア部を示すもので、（ａ）が平面図、（ｂ）が（ａ）のＶＩＩ−ＶＩＩ線視断面図である。
【図８】図１の下部フェースギア部を示すもので、（ａ）が平面図、（ｂ）が（ａ）のＶＩＩＩ−ＶＩＩＩ線視断面図である。
【図９】図１のケース本体を示すもので、（ａ）が平面図、（ｂ）が（ａ）のＩＸ−ＩＸ線視断面図である。
【発明を実施するための形態】
【００２２】
図１は、本実施形態の回転式キャップ抜き具を示すもので、図中符号１がケース本体である。
このケース本体１は、図８に示すように、円筒状に形成されているとともに、その内部中心に、リング状の支持部材２が水平方向に設けられている。また、当該支持部材２の内周には、鉛直方向に突出する円筒状の壁部３が設けられており、これらの部材がアルミダイカストによって一体成形されている。さらに、この壁部３の内径は、一般的な回転式キャップ（φ２７〜３８ｍｍ）および飲料容器の開口部側（φ２７〜３８ｍｍ）より大きく形成されるとともに、上記飲料容器の肩幅（φ６０ｍｍ）より小さく形成されている。そして、ケース本体１は、側部に貫通孔４が形成されており、上端面および下端面に、軸線回り方向に等間隔に、ねじ穴５が複数（図では１２個）穿設されている。
【００２３】
そして、ケース本体１の側部には、図１に示すように、貫通孔４を形成した位置に、ギヤードモータ６が取り付けられており、ケース本体１の支持部材２の上部に上部フェースギア部７が、下部に下部フェースギア部８が各々回転自在に配置されている。
【００２４】
ここで、ギヤードモータ６は、出力１２Ｗの正逆回転機能を有するモータ９のシャフトに、内部に減速ギアを備えたギアヘッド１０を取り付けて構成されている。そして、このギアヘッド１０の出力軸にピニオンギア１１が取り付けられており、当該ピニオンギア１１がケース本体１の貫通孔４からケース本体１内に向けて挿入されている。なお、本実施形態においては、回転数を７．９ｒ／ｍｉｎ、定格トルクを１．０Ｎ・ｍに設定したギヤードモータ６を使用している。
【００２５】
そして、下部フェースギア部８は、図８に示すように、リング状の基部１２ｂと、その外周に設けられた鍔部１３ｂとがアルミダイカストによって一体成形されている。そして、この鍔部１３ｂの外径がケース本体１の内径より僅かに小さく形成されるとともに、基部１２ｂの内径が支持部材２の内径より僅かに大きく形成されている。さらに、基部１２ｂの下面には、３つの凸部１４ｂが軸線回り方向に等間隔に突設されている。また、鍔部１３ｂの上面には、歯車１５ｂが形成されている。そして、下部フェースギア部８は、ケース本体１の下方の開口部から支持部材２に向けて挿入することにより、ピニオンギア１１に歯車１５ｂが歯合されている。また、図１に示すように、下部フェースギア部８の下部に下部回転体１７が設けられている。
【００２６】
他方、上部フェースギア部７は、図７に示すように、下部フェースギア部８を水平に対して上下対称にした形状に成形されており、基部１２ａの上面に３つの凸部１４ａが軸回り方向に等間隔に突設され、鍔部１３ａの下面に歯車１５ａが形成されている。そして、上部フェースギア部７は、ケース本体１の上方の開口部から支持部材２に向けて挿入することにより、ピニオンギア１１に歯車１５ａが歯合されている。また、図１に示すように、上部フェースギア部７の上部に上部回転体１６が設けられている。
【００２７】
下部回転体１７は、図６に示すように、リング状の基部１８ｂと、その上面に周方向に等間隔に突設された３個の扇状の凸部１９ｂとがアルミダイカストによって一体成形されている。そして、この基部１８ｂの外径が下部フェースギア部８の鍔部１３ｂの外径と同径に形成され、内径が下部フェースギア部８の基部１２ｂの内径と同径に形成されている。また、基部１８ｂの下面側の内周縁部が面取りされて面取り面２０が形成されている。さらに、凸部１９ｂ同士の間であって、基部１８ｂの上面には、軸線方向に向けて突出する凸部２１ｂが突設されている。また、下部回転体の凸部１９ｂ同士の間に下部把持爪２２ｂが配置されている。
【００２８】
この下部把持爪２２ｂは、図６（ｃ）に示すように、略三角形の平板状に形成されるとともに鉄によって構成されている。そして、下部回転体１７の外周側に位置する角部２３ｂが円弧状に形成されている。また、当該角部２３ｂより下部回転体１７の上記回転方向の進行側（図中右側）に位置する角部２４ｂは、尖端部２５ｂが焼き入れされているとともに、下部回転体１７の内周側に位置する底部２６ｂ側に、平面視三角形状の引掛部２７ｂが複数（図では３個）突設されている。さらに、角部２３ｂ近傍には、上下面を貫通する貫通孔２８ｂが穿設されており、当該貫通孔２８ｂに下部フェースギア部８の凸部１４ｂが挿入されている。また、貫通孔２８ｂ近傍から角部２４ｂ近傍に延びる長穴状のガイド孔２９ｂが穿設されており、当該ガイド孔２９ｂに下部回転体１７の凸部２１ｂが挿入されている。この結果、この下部把持爪２２ｂは、図６（ａ）の破線に示すように、下部フェースギア部８の凸部１４ｂを時計回り方向に移動させることにより、凸部２１ｂを支点に時計回り方向に回転して、角部２４ｂの尖端部２５ｂが内周面から径方向内側に向けて突出し、下部フェースギア部８の凸部１４ｂをその反対方向に移動させることにより、角部２４ｂの尖端部２５ｂが下部回転体１７の内周面内に収納されるように設けられている。
【００２９】
他方、上部回転体１６は、図５に示すように、下部回転体１７を水平に対して上下対称にした形状に成形されており、凸部１９ａ同士の間であって基部１８ａの下面に軸線方向に向けて突出する凸部２１ａが突設されている。また、上部回転体１６の凸部１９ａ同士の間に上部把持爪２２ａが配置されている。
【００３０】
この上部把持爪２２ａは、図５（ｃ）に示すように、下部把持爪２２ｂを鉛直に対して左右対称にした形状に成形されており、角部２３ａが円弧状に形成されている。また当該角部２３ａより上部回転体１６の上記回転方向である進行側（図中左側）に位置する角部２４ａは、尖端部２５ａが焼き入れされるとともに、上部回転体１６の内周側に位置する底部２６ａ側に平面視三角形状の引掛部２７ａが複数（下部把持爪２２ｂと同様に３個）突設されている。また、角部２３ａ近傍には、上下面を貫通する貫通孔２８ａが穿設されており、当該貫通孔２８ａに上部フェースギア部８の凸部１４ａが挿入されている。また、貫通孔２８ａ近傍から角部２４ａ近傍に延びる長穴状のガイド孔２９ａが穿設されており、当該ガイド孔２９ａに上部回転体１６の凸部２１ａが挿入されている。この結果、上部フェースギア部７の凸部１４ａを反時計回り方向に移動させることにより、凸部２１ａを支点に反時計回り方向に回転して、角部２４ａの尖端部２５ａが内周面から径方向内側に向けて突出し、上部フェースギア部７の凸部１４ａをその反対方向に移動させることにより、角部２４ａの尖端部２５ａが上部回転体１６の内周面内に収納されるように設けられている。
【００３１】
一方、図２に示すように、ケース本体１内壁には、上部および下部回転体１６、１７の外周面の対向位置に内外周面を貫通する貫通孔３０が穿設されており、当該貫通孔３０に、ケース本体１の側部側から弾性ゴム３１、圧縮スプリング３２が順に挿入され、最後にイモネジ３３が螺着されている。この結果、圧縮スプリング３２と弾性ゴム３１の弾性力によって上部および下部回転体１６、１７が押圧されて、当該弾性ゴム３１と上部および下部回転体１６、１７との間に摩擦力が生じることにより、把持爪２２ａ、２２ｂが上記回転式キャップおよび飲料容器を把持するまで、上部および下部回転体１６、１７の回転を抑制するように設けられている。
【００３２】
また、図６（ａ）に示すように、下部フェースギア部８と下部回転体１７との間には、下部把持爪２２ｂが飲料容器３６を把持した後に、互いを係合させて一体的に回転させるための凸部１４ｂ、貫通孔２８ｂの壁部３７ｂ、ガイド孔２９ｂの壁部３８ｂおよび凸部１９ｂからなる係合部が設けられている。この結果、下部把持爪２２ｂが飲料容器３６を把持した後に、下部フェースギア部８を時計回り方向に回転させると、凸部１４ｂ（係合部）によって下部回転体１７に配置された下部把持爪２２ｂの貫通孔２８ｂの壁部３７ｂ（係合部）に時計回り方向に移動させる力が作用し、下部把持爪２２ｂのガイド孔２９ｂの壁部３８ｂ（係合部）によって凸部２１ｂ（係合部）に下部回転体１７を時計回り方向に回転させる力が作用する。そして、下部回転体１７は、この力が弾性ゴム３１と圧縮スプリング３２からなる押圧部材と下部回転体１７との摩擦力より大きくなることにより、下部フェースギア部８とともに時計回り方向に回転するように設けられている。
【００３３】
他方、図５（ａ）に示すように、上部フェースギア部６と上部回転体１７との間には、上部把持爪２２ａが回転式キャップ３４を把持した後に、互いを係合させて一体的に回転させるための凸部１４ａ、貫通孔２８ａの壁部３７ａ、ガイド孔２９ａの壁部３８ａおよび凸部１９ａからなる係合部が設けられている。この結果、上部把持爪２２ａが回転式キャップ３４を把持した後に、上部フェースギア部７を反時計回り方向に回転させると、凸部１４ａ（係合部）によって下部回転体１７に配置された上部把持爪２２ａの貫通孔２８ａの壁部３７ａ（係合部）に反時計回り方向に移動させる力が作用し、上部把持爪２２ａのガイド孔２９ａの壁部３８ａ（係合部）によって凸部２１ａ（係合部）に上部回転体１６を反時計回り方向に回転させる力が作用する。そして、上部回転体１６は、この力が弾性ゴム３１と圧縮スプリング３２からなる押圧部材と上部回転体１６との摩擦力より大きくなることにより、上部フェースギア部６とともに反時回り方向に回転するように設けられている。
【００３４】
また、ケース本体１の上端面および下端面には、上部および下部押さえ部材３９、４０が取り付けられている。この下部押え部材４０は、図４に示すように、アルミダイカストによってリング状に一体成形されている。そして、外径がケース本体１の外径と同径に形成されており、内径がケース本体１の内径より小さく形成されるとともに、上部回転体１６の内径より大きく形成されている。上下端面を貫通するねじ穴４２ｂが、軸線回り方向に等間隔に複数（図では１２個）形成されている。また、下端面の内周縁部が面取りされて面取り面４１が形成されている。この結果、下部押え部材４０は、ねじ穴４２ｂからケース本体１の下端面のねじ穴５に向けて螺子を挿入・締付けすることにより、下部フェースギア部８と下部回転体１７とがケース本体１に収容されている。
【００３５】
他方、上部押え部材３９は、図３に示すように、下部押え部材４０を水平に対して上下対称にした形状に成形されており、上下端面を貫通するねじ穴４２ａが、軸線回り方向に等間隔に複数（図では１２個）形成されている。この結果、上部押え部材３９は、ねじ穴４２ａからケース本体１の上端面のねじ穴５に向けて螺子を挿入・締付けすることにより、上部フェースギア部７と上部回転体１６とがケース本体１に収容されている。さらに、図１に示すように、上部押え部材３９の上部には、円板４３が取付けられ、さらに円板４３の上部に円柱状の把手４４が取り付けられている。
【００３６】
次に、本実施形態の回転式キャップ抜き具の作用を説明する。
先ず、把手４４を握って本実施形態の回転式キャップ抜き具を把持して、ペットボトル等の飲料容器３６の首部側にケース本体１を取り付け、ケース本体１内において、上記飲料容器に螺着された回転式キャップをケース本体１の天板である円板４３に当接させることにより、下部回転体１７を飲料容器３６の首部に取り付けられた固着リング４５を臨む位置に、上部回転体１６を回転式キャップ３４を臨む位置に配置させる。その後、ギヤードモータ６を起動して出力軸を正回転（時計回り）させてピニオンギア１１を時計回り方向に回転させる。
【００３７】
このピニオンギア１１を時計回り方向に回転させると、ピニオンギア１１と上部および下部フェースギア部７、８の鍔部１３ａ、１３ｂの歯車１５ａ、１５ｂとが歯合していることから、図２の矢印に示すように、上部フェースギア部７が平面視反時計回り方向に回転し、下部フェースギア部８が平面視時計回り方向に回転する。
【００３８】
ここで、上部および下部回転体１６、１７は、初期段階において、圧縮スプリング３２と弾性ゴム３１からなる押圧部材により軸線に向かって押さえつけられ、その間の摩擦力により回転しないために、上部および下部フェースギア部７、８の凸部１４ａ、１４ｂが、それぞれの回転方向に移動するに連れて、上部および下部回転体１６、１７に配置された上部および下部把持爪２２ａ、２２ｂがそれぞれの回転方向へと移動する。
【００３９】
すると、上部回転体１６の凸部２１ａを支点に３個の上部把持爪２２ａが反時計回り方向に回転することにより、当該上部把持爪２２ａの角部２４ａの尖端部２５ａが内周面から径方向内側に向かって突出する。これにより、この角部２４の尖端部２５が回転式キャップ３４の側部と当接し、上部把持爪２２ａが回転式キャップ３４を把持する。
同時に、下部回転体１７の凸部２１ｂを支点に３個の下部把持爪２２ｂが時計回り方向に回転することにより、当該下部把持爪２２ｂの角部２４ｂの尖端部２５ｂが内周面から径方向内側に向かって突出する。これにより、この角部２４ｂの尖端部２５ｂが固着リング４５と当接して、下部把持爪２２ｂが固着リング４５を把持する。
【００４０】
次いで、さらに上部フェースギア部７を反時計回り方向に回転させると、凸部１４ａ（係合部）によって上部回転体１６に配置された上部把持爪２２ａの貫通孔２８ａの壁部３７ａ（係合部）に上記回転方向に移動させる力が作用し、当該上部把持爪２２ａのガイド孔２９ａの壁部３８ａ（係合部）によって凸部２１ａ（係合部）に上部回転体１６を上記回転方向に回転させる力が作用する。そして、上部回転体１６は、この力が弾性ゴム３１と圧縮スプリング３２からなる押圧部材と上部回転体１６との摩擦力より大きくなることにより、上部フェースギア部７とともに上記回転方向へと回転する。
同時に、下部フェースギア部８を回転方向に回転させると、凸部１４ｂ（係合部）によって下部回転体１７に配置された把持爪２２ｂの貫通孔２８ｂの壁部３７ｂ（係合部）に上記回転方向に移動させる力が作用し、当該下部把持爪２２ｂのガイド孔２９ｂの壁部３８ｂ（係合部）によって凸部２１ｂ（係合部）に下部回転体１７を上記回転方向に回転させる力が作用する。そして、下部回転体１７も、この力が弾性ゴム３１と圧縮スプリング３２からなる押圧部材と下部回転体１７との摩擦力より大きくなることにより、下部フェースギア部８とともに上記回転方向へと回転する。
【００４１】
この結果、上部回転体１６の上部把持爪２２ａに把持された回転式キャップ３４に反時計回り方向の力が作用し、下部回転体１７の下部把持爪２２ｂに把持された固着リング４５に時計回り方向の力が作用して、回転式キャップ３４および固着リング４５に、把持爪２２によって互いに反対方向に回転する力を加えられることにより、飲料容器３６から回転式キャップ３４が取外される。
【００４２】
次いで、開栓後、先ずギヤードモータ６を起動して出力軸を逆回転（反時計回り）させてピニオンギア１１を反時計回り方向に回転させる。
【００４３】
このピニオンギア１１を反時計回り方向に回転させると、ピニオンギア１１が上部および下部ファースギア７、８の歯車１５ａ、１５ｂと歯合していることから、上部フェースギア部７が平面視時計回り方向に回転し、下部フェースギア部８が平面視反時計回り方向に回転する。
【００４４】
すると、上部回転体１６の凸部２１ａを支点に、上部回転体１６の３個の上部把持爪２２ａが時計回り方向に回転することにより、上部把持爪２２ａの角部２４ａの尖端部２５ａが内周面内に向かって収納される。これにより、上部把持爪２２ａから回転式キャップ３４が取外される。
同時に、下部回転体１７の凸部２１ｂを支点に、下部回転体１７の３個の下部把持爪２２ｂが反時計回り方向に回転することにより、下部把持爪２２ｂの角部２４ｂの尖端部２５ｂが内周面内に向かって収納される。これにより、下部把持爪２２ｂから固着リング４５が取外される。
【００４５】
以上の構成からなる回転式キャップ抜き具は、３個の上部および下部把持爪２２ａ、２２ｂが回転式キャップ３４および固着リング４５を確実に把持した状態で、上部および下部回転体１６、１７が上部および下部フェースギア部７、８とともに回転することが可能となり、これにより、下部回転体１７に把持された固着リング４５および上部回転体１６に把持された回転式キャップ３４とに、互いに反対方向に回転する力が生じるため、この力により飲料容器３６から回転式キャップ３４を取外すことが可能となる。この結果、幼児や老人のように握力や腕力が弱い人、特に手や指等に障害を有する人でも、回転式キャップ３４を螺着した飲料容器３６に本発明の回転式キャップ抜き具を取り付け、ギヤードモータ６を起動するという簡単な作業で、容易に飲料容器３６から回転式キャップ３４を取外すことが可能となる。
【００４６】
さらに、モータとして、正逆回転機能を備えたギヤードモータ６が用いられているために、ギヤードモータ６の出力軸を正逆回転させることにより、ピニオンギア１１の回転も正逆回転する。これにより、上部および下部フェースギア部７、８と上部および下部回転体１６、１７の回転も正逆回転させることが可能となるために、ギヤードモータ６の出力軸を上部および下部把持爪２２ａ、２２ｂを突出する回転方向と逆方向に回転させることにより、当該上部および下部把持爪２２ａ、２２ｂをそれぞれ上部および下部回転体１４、１５の内周面へと収納させることが可能となる。この結果、開栓後、ギヤードモータ６の出力軸を逆回転方向に回転させることにより、回転式キャップ３４および固着リング４５を把持している把持爪２２を容易に取外すことが可能である。
【００４７】
また、下部回転体１７は、軸線方向下方に位置する内周縁部が面取りされているために、飲料容器３６の肩と面取り面２０とが面接触する。この結果、開栓時に、上記飲料容器ががたつくことがなくなり、安定した状態で飲料容器３６から回転式キャップ３４を取外すことが可能である。
【００４８】
さらに、圧縮スプリング３２および弾性ゴム３１からなる押圧部材は、圧縮スプリング３２および弾性ゴム３１の弾性力によって上部および下部回転体１６、１７を軸線に向けて押圧することにより、弾性ゴム３１と上部および下部回転体１６、１７との間に摩擦力が生じるために、上部および下部把持爪２２ａ、２２ｂが回転式キャップ３４および固着リング４５を把持するまで、上部および下部回転体１６、１７が上部および下部フェースギア部７、８とともに回転してしまうことを確実に抑制することが可能である。
【００４９】
また、ケース本体１、上部および下部フェースギア部７、８、上部および下部回転体１６、１７を、アルミダイカストによって一体成形しているために、容易に上記部材を鋳造することが可能であり、生産性が良い。さらには、アルミニウム合金を使用しているために、銅合金などの他の金属材料に比べて軽量である。このために、握力や腕力の弱い人および手や指等に障害を有する人でも片手で把持することが可能である。
【００５０】
そして、上部および下部把持爪２２ａ、２２ｂは、少なくとも角部２４ａ、２４ｂの尖端部２５ａ、２５ｂを焼き入れしているために、角部２４ａ、２４ｂの尖端部２５ａ、２５ｂの硬度が増している。このため、開栓時に尖端部２５ａ、２５ｂにテンションが掛かっても尖端部２５ａ、２５ｂが変形することがない。この結果、確実に回転式キャップ３４及び飲料容器３６を把持し続けることが可能となる。
【００５１】
なお、本実施形態の回転式キャップ抜き具においては、ピニオンギア１１と当該ピニオンギアに歯合する歯車１５ａ、１５ｂからなる交差軸フェースギアとして、平歯型の交差軸フェースギアを用いたが、はす歯型の交差軸フェースギアを用いても対応可能である。
【００５２】
また、本実施形態の回転式キャップ抜き具の作用を説明した際に、開口部の直径が２７ｍｍ程度の一般的なペットボトルに螺着された回転式キャップ３４を使用して説明を行なったが、図４（ｂ）に示すように、飲料を飲み易くした直径が３８ｍｍ程度の飲料容器の首部および当該飲料容器に螺着された回転式キャップ３４も、上部および下部把持爪２２ａ、２２ｂの角部２４ａ、２４ｂの尖端部２５ａ、２５ｂに設けた引掛部２７を、回転式キャップ３５の側部に引掛けることにより、把持することが可能である。
【符号の説明】
【００５３】
１  ケース本体
６  ギヤードモータ
７  上部フェースギア部
８  下部フェースギア部
９  モータ
１０  ギアヘッド
１１  ピニオンギア
１４ａ  上部フェースギア部の凸部（係合部）
１４ｂ  下部フェースギア部の凸部（係合部）
１５ａ  歯車（上部フェースギア部の歯車）
１５ｂ  歯車（下部フェースギア部の歯車）
１６  上部回転体
１７  下部回転体
２０  面取り面
２１ａ  上部回転体の凸部（係合部）
２１ｂ  下部回転体の凸部（係合部）
２２ａ  上部把持爪
２２ｂ  下部把持爪
３１  弾性ゴム（押圧部材）
３２  圧縮スプリング（押圧部材）
３７ａ  貫通孔の壁部（係合部）
３７ｂ  貫通孔の壁部（係合部）
３８ａ  ガイド孔の壁部（係合部）
３８ｂ  ガイド孔の壁部（係合部）
【図１】
2011088642.tif 000003
【図２】
2011088642.tif 000004
【図３】
2011088642.tif 000005
【図４】
2011088642.tif 000006
【図５】
2011088642.tif 000007
【図６】
2011088642.tif 000008
【図７】
2011088642.tif 000009
【図８】
2011088642.tif 000010
【図９】
2011088642.tif 000011